(57)【要約】  骨部分を圧縮したり伸延する整形外科装置は、細長い本体と、細長い本体から横方向に延びる２個のアームと、を含む。第１アームは、本体の一端部に取付けられた固定アームであり、第２アームは縦方向に移動可能である。２個のアームは、細長い本体から同じ方向に延び、互いに平行である。また、整形外科装置は、ヒンジ継手により第１および第２アーム部材それぞれの外側端部にヒンジ連結されるロックスリーブを含み、それぞれのロックスリーブは、コレットおよび捕獲されたコレットナットを使用して細長いピンをロック可能に受容するように構成される。
2016528993.tif 000002
【特許請求の範囲】
【請求項１】
整形外科装置であって、
第１端部および第２端部を有する細長い本体と、
前記第１端部に取付けられ、前記第１端部から延び、外側端部で終端する第１アーム部材と、
前記細長い本体から延び、ベース部および外側端部を有する第２アーム部材であって、前記ベース部は、前記細長い本体を締結し、前記第２アーム部材を前記細長い本体に沿って縦方向に移動可能にするように構成および適用され、前記細長い本体から前記第１アーム部材と同じ方向に延びる第２アーム部材と、
ヒンジ継手により前記第１アーム部材および第２アーム部材それぞれの外側端部にヒンジ連結されるロックスリーブを含み、
前記ロックスリーブは、細長いピン受容ボアが貫通して延びる細長いシャフトと、前記細長いシャフトの一端部に提供されるコレットを含み、前記コレットは、外部表面に一体に形成されるねじ部を備える複数のコレットアームと、前記細長いピン受容ボアに受容される細長いピンをロックするために前記コレットに螺合されるコレットナットと、を含む、整形外科装置。
【請求項２】
前記コレットアームの外部表面の前記ねじ部は、非ねじ区域のバンドにより分断され、前記コレットナットは、非ねじ区域のバンドに突出し前記コレットナットが前記コレットとの螺合から解除されることを防止する機械的干渉を提供する一つ以上の回り止めを備える、請求項１に記載の整形外科装置。
【請求項３】
前記一つ以上の回り止めは、前記コレットナットにねじ結合される止めねじである、請求項２に記載の整形外科装置。
【請求項４】
前記ヒンジ継手それぞれは、ヒンジ軸を有しており、前記ヒンジ軸は、軸方向に整列される、請求項１に記載の整形外科装置。
【請求項５】
前記ロックスリーブそれぞれは、前記細長いピン受容ボアが前記ヒンジ軸を横切って配向するように前記ヒンジ継手に連結される、請求項４に記載の整形外科装置。
【請求項６】
前記コレットナットは、前記コレットナットを回転させるドライバーツールを受容するように構成および適用される、請求項１に記載の整形外科装置。
【請求項７】
前記コレットナットは、その外部表面にピン・スパナ・レンチタイプのドライバーツールを受容する一つ以上の凹部を備える、請求項６に記載の整形外科装置。
【請求項８】
前記コレットナットは、前記細長いピン受容ボアに受容される細長いピンを受容するスルーホールを備え、前記スルーホールは、ドライバーツールの駆動特徴部と一致するように形状化された輪郭を有する、請求項６に記載の整形外科装置。
【請求項９】
細長いピンをロック可能に受容するロックスリーブであって、
細長いピン受容ボアが貫通して延びる細長いシャフトと、
前記細長いシャフトの一端部に提供されるコレットであって、外部表面に一体に形成されるねじ部を備える複数のコレットアームを含むコレットと、
前記細長いピン受容ボアに受容される細長いピンをロックするために前記コレットに螺合されるコレットナットと、を含む、ロックスリーブ。
【請求項１０】
前記コレットアームの外部表面の前記ねじ部は、非ねじ区域のバンドにより分断され、前記コレットナットは、非ねじ区域のバンドに突出し、前記コレットナットが前記コレットとの螺合から解除されることを防止する機械的干渉を提供する一つ以上の回り止めを備える、請求項９に記載のロックスリーブ。
【請求項１１】
前記一つ以上の回り止めは、前記コレットナットにねじ結合される止めねじである、請求項１０に記載のロックスリーブ。
【請求項１２】
前記コレットナットは、コレットナットを回転させるドライバーツールを受容するように構成および適用される、請求項９に記載のロックスリーブ。
【請求項１３】
前記コレットナットは、その外部表面にピン・スパナ・レンチタイプのドライバーツールを受容する一つ以上の凹部を備える、請求項１２に記載のロックスリーブ。
【請求項１４】
前記コレットナットは、前記細長いピン受容ボアに受容される細長いピンを受容するスルーホールを備え、前記スルーホールは、ドライバーツールの駆動特徴部と一致するように形状化した輪郭を有する、請求項１２に記載のロックスリーブ。
【発明の詳細な説明】
【関連出願に対する相互参照】
【０００１】
無し
【技術分野】
【０００２】
本開示は、骨部分の圧縮または伸延に使用可能な整形外科装置に関する。
【背景技術】
【０００３】
骨部分の圧縮または伸延のためのファスナーとして細長いピンを用いる整形外科装置は、整形外科の患者を治療するための多くの用途がある。本明細書において、「細長いピン」は、骨部分を固定したりアンカーを提供するために使用される様々なピンおよびＫ‐ワイヤのような様々なワイヤを称するために使用される。したがって、様々な条件で患者を治療する際に整形外科医の治療範囲および能力を拡張する改善した整形外科装置が要求され続けている。
【発明の概要】
【０００４】
本開示の一様態によれば、骨部分の圧縮または伸延に使用可能な整形外科装置が説明されている。整形外科装置は、第１および第２端部を有する細長い本体と、前記第１端部に取付けられ、第１端部から横方向に延び、外側端部で終端する第１アーム部材と、前記細長い本体から横方向に延び、ベース部および外側端部を有する第２アーム部材と、を含む。ベース部は、細長い本体を移動可能に締結し、第２アーム部材が前記細長い本体に沿って縦方向に移動可能にするように構成および適用される。前記第２アーム部材は、細長い本体から第１アーム部材と同じ方向に延びる。また、整形外科装置は、ヒンジ継手により第１および第２アーム部材それぞれの外側端部にヒンジ連結される（ｈｉｎｇｅａｂｌｙ  ｃｏｎｎｅｃｔｅｄ）ロックスリーブを含み、前記それぞれのロックスリーブは、細長いピンをロック可能に（ｌｏｃｋａｂｌｙ）受容するように構成される。ロックスリーブは、細長いピン受容ボアが貫通して延びる細長いシャフトおよび細長いシャフトの一端部に提供されるコレットを含む。コレットは、外部表面に一体に形成されるねじ部を備える複数のコレットアームを含む。また、ロックスリーブは、細長いピン受容ボアに受容される細長いピンをロックするためにコレットに螺合される（ｔｈｒｅａｄａｂｌｙ  ｅｎｇａｇｅｄ）コレットナットを含む。
【０００５】
コレットアームの外部表面のねじ部は、非ねじ区域のバンドにより分断され、コレットナットは、非ねじ区域のバンドに突出しコレットナットがコレットとの螺合から解除されることを防止する機械的干渉を提供する一つ以上の回り止め（ｄｅｔｅｎｔ）を備える。
【０００６】
また、他の様態によれば、細長いピンをロック可能に受容するロックスリーブが開示されている。ロックスリーブは、 細長いピン受容ボアが貫通して延びるを有する細長いシャフトと、細長いシャフトの一端部に提供されるコレットであって、外部表面に一体に形成されるねじ部を備える複数のコレットアームを含むコレットと、細長いピン受容ボアに受容される細長いピンをロックするためにコレットに螺合されるコレットナットと、を含む。
【図面の簡単な説明】
【０００７】
【図１】本開示の一様態による整形外科装置の斜視図である。
【図２】図１の整形外科装置の他の斜視図である。
【図３】本開示の一様態によるロックスリーブの分解斜視図である。
【図４】ロックスリーブの一つにあるコレットナットが断面で図示されているロックスリーブの正面図である。
【図５】ロックスリーブのねじ型コレット端部および断面で図示されているコレットナットを示す分解斜視図である。
【図６】一実施例によるコレットナットを回転させるために使用可能なピン・スパナ・レンチの一例を図示している。
【図７】他の実施例によるコレットナットの詳細な図である。
【０００８】
上述の図面に図示されている特徴は、概略的に示され、縮尺に合わせて図示されるように意図されておらず、正確な位置関係で図示されるように意図されていない。同じ参照番号は同じ要素を指す。
【発明の詳細な説明】
【０００９】
かかる例示的な実施例の記載は、別添の図面とともに理解するように意図されており、別添の図面は、全体の記述内容の一部分として見なすべきである。本明細書において、「下方」、「上方」、「水平」、「垂直」、「上」、「下」、「上に」、「下に」、「上部」および「下部」のような相対語だけでなく、その派生語（例えば、「水平に」、「下方に」、「上方に」など）は、後述するようなまたは論議中の図面に図示されているような配向を示すように解釈すべきである。前記相対語は、説明の便宜性のためのものであって、装置が特定の配向に構成または配向されることを要求しない。「連結された」および「相互連結された」のような取付、結合などに関する用語は、特に記載されない限り、移動可能なまたは強固な取付または関係だけでなく、介在する構造物を介して構造物が互いに直接的にまたは間接的に固定または取付けられる関係を称する。
【００１０】
図１〜図２は本開示の一様態による骨部分の圧縮または伸延に使用可能な整形外科装置１００を図示する。整形外科装置１００は、第１端部１０および第２端部２０を有する細長い本体１１０を含む。第１アーム部材１１２は、第１端部１０から細長い本体１１０に対して横方向に延び、外側端部１１２ａで終端する。第１アーム部材１１２は、本体１１０と一体に形成されるか本体１１０に他の方法で取付けられ得る。第２アーム部材１１１は、細長い本体１１０から横方向に延び、外部端部１１１ａで終端する。第２アーム部材１１１は、細長い本体１１０に移動可能に締結され、第２アーム部材１１１を細長い本体に沿って縦方向に移動可能にするように構成および適用されるベース部１１３で構成される。
【００１１】
一実施例によれば、細長い本体１１０は、ベース部１１３と締結するためにその長さに沿ってラチェット歯部１１０ａを備える。ベース部１１３は、圧縮モードまたは伸延モードで選択可能に作動し得るラチェット機構を備える。例えば、ベース部１１３は、圧縮モードおよび伸延モードを切り替えるために使用可能なモードセレクタスイッチ１１７を有し得る。
【００１２】
ラチェット機構は、セレクタスイッチ１１７がベース部１１３の移動方向を変更するだけでなく、装置のロック方向を変更するように構成される。これは、所望の圧縮または伸延状態に至ると、その状態が維持できるようにする。圧縮モードで、第２アーム部材１１１は、伸延方向２０２への移動がロックされ、圧縮方向２０１にのみ移動することができる。反対に、伸延モードで、第２アーム部材１１１は、圧縮方向２０１への移動がロックされ、伸延方向２０２にのみ移動することができる。
【００１３】
また、ベース部１１３は、第２アーム部材１１１が細長い本体１１０に沿って自在に移動できるようにするセレクタスイッチ１１７に対する中立位置を有するように構成され得る。ベース部１１３の内部機構を作動させるシャフト１１６に連結された回転キーハンドル１１５を回転させることで第２アーム部材１１１が移動する。ベース部１１３の内部構造は、図示されていないが、ラックとピニオンタイプの歯車装置を用いるラチェット機構または当業者に知られている他の適切な機構を有し得る。
【００１４】
細長い本体１１０は、ベース部１１３が細長い本体１１０の第２端部２０から摺動することを停止させる適切な機構を備える。例えば、図１に図示された実施例において、細長い本体の第２端部２０の近くに提供されるストップピン１１９がその機能を提供する。
【００１５】
第２アーム部材１１１は、細長い本体１１０から第１アーム部材１１２と同じ方向に延びる。また、整形外科装置１００は、ヒンジ継手１２１により第１および第２アーム部材１１２，１１１それぞれの外側端部１１２ａ，１１１ａにヒンジ連結されるロックスリーブ１２０を含み、それぞれのロックスリーブ１２０は、細長いピン（図示せず）をロック可能に受容するように構成される。
【００１６】
ロックスリーブ１２０は、 細長いピン受容ボア１２７が貫通して延びる細長いシャフト１２４を含む。ヒンジ継手１２１それぞれは、一つのロックスリーブ１２０をアーム部材１１２，１１１の一方の外側端部にヒンジ連結する。ヒンジ継手１２１のヒンジ軸は、 同軸に整列され、図１においてヒンジ軸Ａで表されている。
【００１７】
一実施例によれば、ヒンジ継手１２１は、所定の位置で正常にロックされ、ばね装着ロックピン１１２ｂによりヒンジ側Ａを中心に旋回することを防ぐように構成および適用できる。ばね装着ロックピン１１２ｂが加圧されると、ヒンジ継手１２１はロック解除され、ヒンジ軸Ａを中心に自在に旋回する。
【００１８】
ロックスリーブ１２０それぞれは、細長いシャフト１２４および細長いピン受容ボア１２７がヒンジ軸Ａを横切って配向するようにヒンジ継手１２１に連結される。横配向は、細長いシャフト１２４および細長いピン受容ボア１２７がヒンジ軸Ａと直角をなすという事実を指す。
【００１９】
一実施例によれば、ロックスリーブ１２０は、細長いシャフト１２４の一端部に提供されるねじ型コレット２２０と、細長いピン受容ボア１２７に受容される細長いピンをロックするためにねじ型コレット２２０に螺合されるコレットナット１２２と、をさらに含む。ねじ型コレット２２０は、細長いピン受容ボア１２７の一端部を規定する複数のコレットアーム２２１を含む。コレットアーム２１１は、外部表面に一体に形成されるねじ部２２７を備え、それにより前記コレットナット１２２は、細長いピン受容ボア１２７に受容される細長いピンをロックするためにコレットを螺合する。コレットアーム２２１にねじ部２２７を一体に形成することは、扁平で且つ小型であるコレット２２０の設計を可能にする。コレットアーム２２１は、複数のスロット２２２により規定される。
【００２０】
図３〜図５はねじ型コレット２２０およびコレットナット１２２の詳細な構造を図示する。図５のコレットナット１２２の縦断面図に図示されているように、コレットナット１２２は、ねじ型コレット２２０を受容するために一端部が開放され、コレット２２０のねじ部２２７と螺合するためのねじ部１２２ｂを備える内部表面を有する。ねじ型コレット受容端部とは反対側の端部には、細長いピン受容ボア１２７に受容される細長いピンのためのスルーホール１２２ａが提供される。コレットナット１２２の内部表面は、円錐状表面１２２ｃで構成される。コレットナット１２２がねじ型コレット２２０に完全にねじ結合した場合、円錐状表面１２２ｃはコレットアーム２２１と接触し、コレットアーム２２１の面取表面２２１ａを押し付け、コレットアーム２２１を径方向内側に押圧する。細長いピンが細長いピン受容ボア１２７に受容された場合、コレットナット１２２のねじ結合動作は、コレットアーム２２１が径方向内側に移動して細長いピンを締めて細長いピンを適所の位置にロックさせる。
【００２１】
本開示の一様態によれば、コレットアーム２２１の外部表面のねじ部２２７は、図４および図５に図示されるように、ねじ部２２７を下部２２７ａと上部２２７ｂとに分ける非ねじ区域２２８のバンドにより分断される。コレットナット１２２は、非ねじ区域２２８のバンドに突出することで、コレットナット１２２がねじ型コレット２２０との螺合から解除されることを防止するねじ部の上部２２７ｂとの機械的干渉を提供する一つ以上の回り止め１２２ｅを備える。コレットナット１２２を除去しようとすると、一つ以上の回り止め１２２ｅおよびねじ部の上部２２７ｂが互いに干渉してコレットナット１２２が除去されることを防止する。
【００２２】
一実施例において、一つ以上の回り止め１２２ｅは、止めねじであり、一つ以上の止めねじ受容ホール１２２ｄは、コレットナット１２２の側壁に提供される。止めねじ受容ホール１２２ｄは、止めねじ回り止め１２２ｅが、その中にねじ結合できるようにねじが形成される。ロックスリーブ１２０の組み立ての間に、コレットナット１２２は、止めねじ受容ホール１２２ｄが非ねじ区域２２８と整列するまでねじ型コレット２２０にねじ結合される。次に、止めねじ回り止め１２２ｅが非ねじ区域２２８に突出するまで回り止め１２２ｅが受容ホール１２２ｄにねじ結合される。図４において、コレットナット１２２の一つに関する断面図は、かかる配列を図示している。回り止め１２２ｅは、止めねじのない異なる様々な形態で提供され得る。例えば、回り止め１２２ｅは、コレットナット１２２内の受容ホール１２２ｄに任意の適切な方式で圧入又は溶接又は固定される好適な長さのダウェルピン（ｄｏｗｅｌ  ｐｉｎ）であってもよい。
【００２３】
一般的に、ユーザが手でコレットナット１２２を締め付けることで細長い受容ボア１２７に受容される細長いピンをロックできるようにすることが考えられる。しかし、本開示の他の様態によれば、コレットナット１２２は、コレットナットを回転させ締め付ける際にユーザを補助するドライバーツールを受容するように構成および適用され得る。
【００２４】
一例において、ドライバーツールは、図６に図示されたピン・スパナ・レンチ３００であってもよく、コレットナットには、コレットナットの外部表面に沿ってドライバーツールのピン３１０を締結する一つ以上のホールまたは凹部１２２ｆ（図１、図４および図５参照）が提供される。図７は、コレットナット１２２をロックしたり締め付けるカニューレ型（ｃａｎｎｕｌａｔｅｄ）ドライバーツール（図示せず）を使用して締め付けられるように構成されるコレットナット１２２の他の実施例を図示している。カニューレ型ドライバーツールの中空チューブ型開口は、ロックスリーブ１２０の細長いピン受容ボア１２７に位置する細長いピンを受容する。コレットナットのスルーホール１２２ａは、細長いピンが貫通することを許容するほど十分に大きければ、任意の様々な形態に構成され得る。本実施例において、スルーホール１２２ａは、ドライバーの特定の駆動特徴部と一致する形状で提供される。例えば、ドライバーが、六角形、正方形または星型ドライバーであれば、スルーホール１２２ａは、ドライバーの駆動特徴部を締結するように適切に形状化される。図７に示す例において、スルーホール１２２ａは、六角形の先端ドライバーを受容する六角形の形状を有する。
【００２５】
上述のように、本開示の整形外科装置１００は、ロックスリーブ１２０の細長いピン受容ボア１２７にロックされるＫ‐ワイヤのような細長いピンにより第１および第２アーム部材１１２，１１１に固定される骨部分の圧縮または伸延に使用可能な汎用装置である。図１を参照すると、骨部分が固定された後、移動可能な第２アーム部材１１１は、回転キーハンドル１１５を回転させることで圧縮方向２０１または伸延方向２０２に移動することができる。
【００２６】
本発明は、例示的な実施例について説明されているが、本発明は、これに制限されない。むしろ、別添の請求項は、本発明の均等物の範囲および領域から逸脱せず、当業者により行われ得る本発明の他の実施例および変形例を含むように広範に解釈すべきである。本明細書に開示された本発明の範囲は、以下の請求の範囲によりのみ制限されるべきである。
【図１】
2016528993.tif 000003
【図２】
2016528993.tif 000004
【図３】
2016528993.tif 000005
【図４】
2016528993.tif 000006
【図５】
2016528993.tif 000007
【図６】
2016528993.tif 000008
【図７】
2016528993.tif 000009
【国際調査報告】
2016528993.tif 000010
2016528993.tif 000011